(57)【要約】【課題】室内壁に貼付される壁紙に予め接着剤を塗布した際に、その接着剤の乾燥、硬化を防止する。【解決手段】シート材を矩形状の中央部とこの中央部の各辺から外方に延設した蓋部とにより形成し、各蓋部を中央部に対して折り重ねるようにした壁紙養生装置。【選択図】図１
2007001020.tif 000002
【特許請求の範囲】
【請求項１】
矩形状の中央部とこの中央部の各辺から外方に延設された蓋部とにより形成されたシート材からなる壁紙養生装置であって、
前記各蓋部は各辺を介して前記中央部の同面側に折り重ねられることを特徴とする壁紙養生装置。
【請求項２】
前記中央部と蓋部並びに前記蓋部相互は着脱自在に折り重ねられることを特徴とする請求項１記載の壁紙養生装置。
【請求項３】
前記中央部又は蓋体には加熱体が配設されていることを特徴とする請求項１記載の壁紙養生装置。
【請求項４】
前記中央部の背面には搬送用の把手が設けられていることを特徴とする請求項１記載の壁紙養生装置。
【発明の詳細な説明】
【技術分野】
【０００１】
本発明は、壁紙、特に接着剤が塗布された壁紙を収納して未硬化接着剤の乾燥を防止する壁紙養生装置に関するものである。
【背景技術】
【０００２】
施工が長時間に亘る場合は、予め接着剤が塗布された壁紙を養生しておく必要がある。この養生手段として所謂養生袋が用いられる。養生袋としては開口部をファスナーにより開閉自在とした長方形状の袋体のものや２枚のシートをファスナーを介して袋状にするもの等がある。
【０００３】
しかし、この種の袋物では一旦接着剤が塗布された壁紙の取り込み及び取り出し作業が煩わしくかつ又出し入れに際し、開口部と壁紙との干渉により接着剤自体が削除されることなどの問題が生じていた。
【０００４】
一方近年では特開２０００−６６００号に記載されている様な壁紙乾燥防止用養生袋が提案されている。この養生袋も前記袋物と同様な問題が生じ、その上冬季における接着剤の氷結や壁紙自体の硬化に何ら対応していないという新たな問題を生じている。
【発明の開示】
【発明が解決しようとする課題】
【０００５】
本発明では上記従前の問題を考慮し、接着剤が塗布された壁紙の取り入れ、取り出しを容易にし、かつ接着剤の乾燥防止はもちろんのこと、厳冬の施工現場でも接着剤の氷結や壁紙自体の硬化が生じない養生装置を提供するものである。
【課題を解決するための手段】
【０００６】
上記課題は本願発明の請求項１に記載の壁紙養生装置により解決される。
即ち矩形状の中央部とこの中央部の各辺から外方に延設された蓋部とにより形成されたシート材からなる壁紙養生装置であって、前記各蓋部は各辺を介して前記中央部の同面側に折り重ねられることを特徴とするものなので、壁紙収納前は全体として所謂開封状態となっており、その中央部に壁紙を配置した後、各蓋部を折り重ねてゆけば壁紙自体は中央部並びに各蓋部により封鎖されることになる。
しかも請求項２記載の通り中央部と各蓋部は着脱自在となっており、着時は密封状態で養生されるので接着剤の乾燥が防止でき、脱時は各蓋部を容易に元に戻せるので取り出しも容易である。
その上請求項３の記載通り中央部又は蓋体に配設された加熱体により、封鎖された壁紙自体を温めるので、冬季現場での接着剤氷結による接着不良や壁紙自体の硬化による出隅入隅の納り不良がなくなるのである。更に請求項４記載の如く本装置には把手が設けられているので、この把手を介して装置の移動を容易に行うことが出来る等作業効率の向上にも寄与できるものである。
【発明の効果】
【０００７】
以上の様に本発明の壁紙養生装置は壁紙収納時には開封状態となり、接着剤塗布済みの壁紙を何物にも触れることなく収納できる。
一方取り出し時にも前記同様何物にも触れることがないので、貼付け作業が容易かつ短時間で行われるだけでなく壁紙自体の汚損も生じない。その上加熱体により収納内部を加温できるので、ペット対応の壁紙の如く厚手のものに対しては壁面に順応し易い施工が可能となる。さらに冬季現場における接着剤の氷結防止や壁紙硬化が防げるので出隅入隅の納まりも期待以上のものとなる等、現場作業での好適な壁紙養生装置である。
【発明を実施するための最良の形態】
【０００８】
本発明の好適な例を図面に基づき以下に説明する。
【０００９】
図１は、本発明の壁紙養生装置１を示す正面図である。
この装置１は全体として非透湿性材料、例えばポリエチレン、ポリ塩化ビニール、ナイロン等のフィルム若しくはシート材からなる。必要に応じてこれらの材を積層状にしその間に断熱材等を介在させることもある。
【００１０】
中央部１０は略矩形状を成して、その横寸法Ｌは壁紙の幅サイズと略同じかそれより大きい寸法からなる。この中央部１０の一辺１０ａから延設した状態に上蓋部１１が設けられている。この上蓋部１１は中央部１０をほぼ覆う大きさを有するもので、大きくても中央部１０を超える大きさのものではない。又中央部１０の一辺１０ａに対向する一辺１０ｂからも下蓋部１２が延設された状態で設けられる。
【００１１】
同様にして他辺１０ｃ、１０ｄにも夫々横蓋部１３、１４が延設された状態に設けられる。上記各蓋体１１、１２、１３、１４は中央部１０と一体的に延設されたものでも良く、又は中央部１０とは別体として形成されたものを溶着等の手段により一体に延設したものでも良い。
【００１２】
更に各辺１０ａ、１０ｂ、１０ｃ、１０ｄはいずれも各蓋体１１、１２、１３、１４を中央部１０の内方Ｏ側に折り重ねる為に所謂谷折り線として形成される。尚、各辺を「マチ」状に形成することで収納容量を大きくして壁紙の収納枚数を増すことも可能である。
【００１３】
図例の如く上蓋部１１の外方側には着脱部材１５ａが配設されている。この着脱部材の例としては粘着テープ、フォックボタンなどをはじめ、所謂マジックテープ（登録商標）と称されるベルクロ、スナップファスナーが用いられる。斯る着脱部材１５ａに対応して、中央部１０の一辺１０ｂ側には着脱部材１５ｂが配設される。さらに横蓋体１３、１４の外方側には夫々着脱部材１６ａ、１７ａが配設される。
【００１４】
又本例では中央部１０と上蓋部１１に電熱線等の加熱体１８が配設されている。この加熱体１８はコンセント１９を介して外部電源に接続され、所要温度まで加温される。加熱体１８の配置例としては、収納された壁紙に近接する蓋部、本例では中央部１０若しくは上蓋体１１に少なくとも配設することで、上方に位置する最初に取り出す壁紙を優先的に加温することになり、最後に取り出す壁紙にとっても保温状態が維持されることになる。
尚本例ではニクロム線材等からなる加熱体を用いたが、中央部や蓋部にポケットを設けてそのポケット内に所謂使い捨てカイロ等を収納する形式のものでも良い。
【００１５】
図２は本装置１の背面図である。
上蓋部１１と下蓋部１２の各背面には前記着脱部材１６ａに対応する着脱部材１６ｂ、１６ｃが夫々配設されている。同様に前記着脱部材１７ａに対応する着脱部材１７ｂ、１７ｃが夫々配設されている。
【００１６】
そして中央部１０の背面には一対の把手２０が設けられている。この把手２０は本装置１を床等に配置した際にも邪魔にならない材、構成になっている。例えば把手全体を薄布テープで形成したり、若しくは中央部１０内から出入れ自在に形成される。
以上の様に図１、２では所謂開封状態の壁紙養生装置１を示すものである。
【００１７】
次に図面に基づき本装置１の使用例を説明する。
まずは図３に示す如く、開封状態の本装置１の中央部１０に接着剤塗布済みの壁紙ｗを納める。壁紙糊付け機（図示せず）からは壁紙ｗが直接押し出されて中央部１０上に納められるので先端部分が中央部１０に触れるのみで汚損されることもない。必要枚数の壁紙ｗを納めたのち、図４に示す如く上蓋部１１を折り重ねて、その着脱部材１５ａを中央部１０の着脱部材１５ｂに係着する。
【００１８】
次いで図５に示す通り、下蓋部１２を上蓋部１１上に折り重ねる。この場合上蓋部１１の背面に配設された着脱部材１６ｂ、１７ｂは図例の如く下蓋部１２の背面に配設された着脱部材１６ｃ、１７ｃと各横蓋部１３、１４に配設した着脱部材１６ａ、１７ａに対応して略直線状に配設されている。
【００１９】
斯る状態に次いで、図６から図７に示す通り横蓋部１３、１４を夫々上蓋部１１、下蓋部１２上に折り重ねる。図例ではまず横蓋部１４を折り重ねて着脱部材１７ａと同１７ｂ、１７ｃを係着する。さらに横蓋部１３を折り重ねて着脱部材１６ａと１６ｂ、１６ｃとを係着する（図７）。
【００２０】
以上の様に中央部１０に対し各蓋体１１〜１４は重畳し、かつ横方向は着脱部材１５ａと１５ｂ、両サイドは１６ａと１６ｂ、１６ｃ及び１７ａと１７ｂ、１７ｃとにより閉鎖される。これにより収納された壁紙ｗは本装置１内に密封された状態で外部からは遮断され、確実に養生される。
【００２１】
図８は壁紙ｗを収納した状態の本装置１を示す。装置１に設けられたコンセント１９に接続された外部電線２１を介して加熱体１８を加熱する。加熱体１８の加熱は前記開封状態からでも若しくは密封状態となってからでも良く、いずれも外部温度と加熱温度の関係から概ね決めることが出来る。
【００２２】
壁紙糊付機前から貼付現場まで図示した把手２０を介して搬送すれば作業も容易かつ短期化される。本装置１内から接着剤塗布済みの壁紙を取り出すには前述した折り重ね工程を逆にすればよい。すなわち、まずは各横蓋部１３、１４を開き、次いで下蓋部１２を開けるとともに上蓋部１１を開けて中央部１０を開放する。これにより接着剤塗布済みの壁紙は何物にも触れることなく直接目的の壁体へ貼付けることができる。
【００２３】
又壁紙が複数枚の場合は一番初めに貼付ける壁紙を取り出した後上蓋部１１を折畳んでおけば少なくとも保温状態は確保されるので次に貼付ける壁紙の保温は保たれる。特に加熱体１８の加熱状態を続けておくことで保温状態は更に適正なものになる。
【図面の簡単な説明】
【００２４】
【図１】図１は開封状態で説明する本発明に係わる壁紙養生装置の正面図である。
【図２】図２は本発明に係わる壁紙養生装置の背面図である。
【図３】図３は壁紙収納状態の説明図である。
【図４】図４は上蓋部を折り重ねた状態の説明図である。
【図５】図５は下蓋部を折り重ねた状態の説明図である。
【図６】図６は横蓋部を折り重ねた状態の説明図である。
【図７】図７は全蓋部を折り重ねた状態の説明図である。
【図８】図８は本装置の搬送状態を説明する図である。
【符号の説明】
【００２５】
１…壁紙養生装置、１０…中央部、１１…上蓋部、１２…下蓋部、１３，１４…横蓋部、１５ａ，１５ｂ，１６ａ，１６ｂ，１６ｃ，１７ａ，１７ｂ，１７ｃ…着脱部材、１８…加熱体
【図１】
2007001020.tif 000003
【図２】
2007001020.tif 000004
【図３】
2007001020.tif 000005
【図４】
2007001020.tif 000006
【図５】
2007001020.tif 000007
【図６】
2007001020.tif 000008
【図７】
2007001020.tif 000009
【図８】
2007001020.tif 000010